(57)【要約】【課題】演出効果を高めることができる照明装置を提供する。【解決手段】照明装置10は、複数の発光素子27が配置された器具本体13、および複数の発光素子27を覆って器具本体13に取り付けられるセード15を備える。セード15は、光が透過する光拡散領域36を有するとともに光拡散領域36の一部に透明領域37を有する。透明領域37には光学部材40が対向する。【選択図】図１
2015018774.tif 000002
【特許請求の範囲】
【請求項１】
複数の発光素子が配置された器具本体と；
複数の発光素子を覆って器具本体に取り付けられ、光が透過する光拡散領域を有するとともに光拡散領域の一部に透明領域を有するセードと；
透明領域に対向する光学部材と；
を具備することを特徴とする照明装置。
【請求項２】
透明領域は、セードの側面に形成され、
光学部材は、透明領域を透過した光を光学部材の側面側に透過させるとともに光学部材の前面側に出射させる
ことを特徴とする請求項１記載の照明装置。
【請求項３】
セードの前面側には、光拡散領域より光透過率が高い複数の高透過率部が形成されている
ことを特徴とする請求項１または２記載の照明装置。
【発明の詳細な説明】
【技術分野】
【０００１】
本発明の実施形態は、複数の発光素子をセードで覆う照明装置に関する。
【背景技術】
【０００２】
従来、シーリングライトなどの照明装置では、器具本体に複数の発光素子が配置され、これら複数の発光素子を覆って器具本体にセードが取り付けられている。セードは、一般に、例えば乳白色の光拡散性を有する材料で形成されている。
【０００３】
また、セードの周辺部に装飾用のセード枠を配置した照明装置がある。このセード枠は、透明部材で形成されているが、セードで拡散された光が透過するだけであった。
【先行技術文献】
【特許文献】
【０００４】
【特許文献１】特開２０１３−３７８５２号公報
【発明の概要】
【発明が解決しようとする課題】
【０００５】
照明装置の商品性の向上には光の演出効果を付加することが一例として挙げられるが、従来のように光拡散性のセードの周辺部に透明なセード枠を配置しただけでは、演出効果が十分でなく、さらなる演出効果の向上が望まれている。
【０００６】
本発明が解決しようとする課題は、演出効果を高めることができる照明装置を提供することである。
【課題を解決するための手段】
【０００７】
実施形態の照明装置は、複数の発光素子が配置された器具本体、および複数の発光素子を覆って器具本体に取り付けられるセードを備える。セードは、光が透過する光拡散領域を有するとともに光拡散領域の一部に透明領域を有する。透明領域には光学部材が対向する。
【発明の効果】
【０００８】
本発明によれば、セードの光拡散領域の一部に透明領域を設けて、この透明領域に光学部材を対向させるため、複数の発光素子の発光部が光学部材に映り込み、光学部材に輝き感のある演出効果を得ることが期待できる。
【図面の簡単な説明】
【０００９】
【図１】第１の実施形態を示す照明装置の拡大断面図である。
【図２】同上照明装置の断面図である。
【図３】同上照明装置の斜視図である。
【図４】第２の実施形態を示す照明装置の拡大断面図である。
【図５】同上照明装置の斜視図である。
【図６】第３の実施形態を示す照明装置の拡大断面図である。
【図７】同上照明装置の斜視図である。
【図８】第４の実施形態を示す照明装置の拡大断面図である。
【図９】同上照明装置の斜視図である。
【発明を実施するための形態】
【００１０】
以下、第１の実施形態を、図１ないし図３を参照して説明する。
【００１１】
照明装置10は、シーリングライトであり、天井面に設置されている引掛シーリングボディ11にアダプタ12を介して取り付けられる器具本体13を備えている。器具本体13の前面側である下面側には発光モジュール14が取り付けられているとともにセード15が着脱可能に取り付けられ、器具本体13の上面側には器具カバー16が取り付けられ、器具本体13と器具カバー16との間にアダプタガイド17および点灯装置18が配置されている。なお、セード15と器具本体13は一体型で着脱できないものであっても構わない。
【００１２】
そして、器具本体13は、円盤状に形成され、中央にはアダプタガイド17の下部が嵌り込む開口部22が形成され、下面には発光モジュール14を取り付ける環状の取付面23が形成され、周辺部にはセード15を取り付けるセード取付部24が形成されている。セード取付部24には、セード15を回動させることによって着脱可能に取り付ける図示しない複数のセード取付金具が取り付けられている。
【００１３】
また、発光モジュール14は、ＬＥＤ素子などの複数の発光素子27を実装した基板28を備えている。基板28は、例えば半環状に形成されており、一対の基板28を器具本体13の取付面23に配置することによって環状に組み合わされる。基板28は、例えば金属、セラミックスあるいは樹脂などの材料で形成されている。基板28の表面には絶縁層を介して配線パターンが形成され、この配線パターン上に複数の発光素子27が実装されている。本実施形態では、発光素子として面実装タイプのＳＭＤパッケージ式のＬＥＤ素子が用いられ、複数のＬＥＤ素子が基板28の表面に周方向に沿って同心円上に２列に配列されている。さらに、基板28の表面には、配線パターンを覆って高反射率特性を有する反射面が形成されている。基板28には、隣り合う基板28間を接続するためのコネクタ、および点灯装置18と接続するためのコネクタが実装されている。
【００１４】
器具本体13の取付面23に取り付けられた発光モジュール14は、絶縁性を有する透明な樹脂製の保護カバー29によって覆われている。この保護カバー29には、基板28に同心円上に２列に配列された発光素子27にそれぞれ対向するように環状のレンズ部29aが同心円上に２列形成されている。このレンズ部29aによって、発光素子27から出射される光を器具本体13の中央側および周辺側へ向けて広がる配光に制御する。
【００１５】
また、セード15は、透明な樹脂材料によって形成されたセード本体32を有している。セード本体32の前面側になだらかに湾曲突出するドーム状の前面部33が形成され、この前面部33の周辺部から立ち上がる環状の側面部34が形成され、この側面部34の上端から背面部35が形成され、この背面部35の中央が開口されている。側面部34は、前面から見て多角形であって例えば８角形に形成され、８角形の１つおき辺に三角形状の突出部34aが形成されているとともに、残りの１つおきの辺に曲面状または平面状の窓部34bが形成され、この窓部34bの面は上部側から下部側にかけて側方へ突出するように（径が大きくなるように）傾斜されている。セード本体32の背面部35には、器具本体13の各セード取付金具に着脱可能に取り付けられる図示しない取付段部が形成されている。
【００１６】
セード15には、一部を除いて全体的に所定の光透過率で光拡散効果を有する光拡散領域36が形成されている。この光拡散領域36は、セード本体32の内面に例えば白色のシルク印刷が施されていることによって形成されているが、他の手段を用いても構わない。
【００１７】
セード15の側面部34には、各窓部34bの面に、光拡散領域36が形成されていないすなわちシルク印刷が施されていない透明領域37が形成されている。この透明領域37は、側面部34の窓部34bの面の全域に形成されていて光拡散領域36が大きく開口するように形成されている。なお、大きな開口部（窓部34b）には、メッシュ状やスリッド状の開口部（窓部34b）などであっても構わない。
【００１８】
セード15の前面部33には、光拡散領域36中に光透過率が光拡散領域36よりも相対的に高い複数の高透過率部38が形成されている。複数の高透過率部38は、例えば光拡散領域36が形成されていないすなわちシルク印刷が施されていない小さなドット状の孔によって構成され、複数のドット状の孔が前面部33における光拡散領域36の全域にランダムに点在して配置されている。
【００１９】
なお、セード15は、例えば、セード本体32の素材となる平板にシルク印刷を施した後、セード形状に成形することによって形成されている。
【００２０】
さらに、セード15の各透明領域37の外側には、その透明領域37に対向した状態で光学部材40が取り付けられている。光学部材40は、第１の光学部品41と第２の光学部品42とを備え、これらを組み合わせた状態で突出部34aと同形状の略三角形状をなすように形成されている。したがって、セード15は、周辺部の複数の突出部34aと複数の光学部材40とにより、星型の形状に形成されている。
【００２１】
第１の光学部品41は、透明な樹脂材料によって形成されており、透明領域37に対向する入射部43、この入射部43の下部から斜めに立ち上がる前部44を有し、入射部43の外面および前部44の内外の両面に複数のプリズムを有するプリズム面45a，45b，45cが形成されている。第１の光学部品41の上部および下部がセード15に例えば接着剤や他の取付手段によって取り付けられている。
【００２２】
第２の光学部品42は、透明な樹脂材料によって形成されており、第１の光学部品41の上面側を閉塞して取り付けられ、入射部43の外面に対向する背部46を有し、この背部46の外面に複数のプリズムを有するプリズム面47が形成されている。
【００２３】
また、器具カバー16の中央には、引掛シーリングボディ11に対向する開口部16aが形成されている。器具カバー16の下面に、開口部16aを中心としてアダプタガイド17が取り付けられている。
【００２４】
また、アダプタガイド17は、筒状に形成され、引掛シーリングボディ11に装着されたアダプタ12に嵌め込むことにより、アダプタ12に着脱可能に取り付けられる。
【００２５】
また、点灯装置18は、アダプタガイド17の周囲に配置されて器具カバー16側に保持された回路基板18aを有し、この回路基板18a上に点灯装置18を構成する各種の電子部品が実装されている。点灯装置18の電源入力側にはアダプタおよび引掛シーリングを介して商用交流電源が入力され、点灯装置18の負荷出力側は回路基板18aの配線パターンを通じて複数の発光素子27に接続されている。そして、点灯装置18は、商用交流電源を整流平滑し、所定の直流電力に変換して発光素子27に供給する。
【００２６】
そして、照明装置10を設置するには、引掛シーリングボディ11にアダプタ12を取り付け、アダプタ12にセード15を外した状態の照明装置10のアダプタガイド17を取り付ける。アダプタ12から導出されている配線を点灯装置18にコネクタ接続し、引掛シーリングボディ11と点灯装置18とを電気的に接続する。器具本体13にセード15を装着する。
【００２７】
また、照明装置10の点灯時には、点灯装置18によって複数の発光素子27に直流電力を供給することにより、複数の発光素子27が点灯し、複数の発光素子27からの光が保護カバー29を透過してセード15の内側領域に出射されるとともにセード15を透過して照明空間に照射される。
【００２８】
セード15の内側領域から前面部33の光拡散領域36および側面部34の突出部34aの光拡散領域36に入射した光は拡散され、光拡散領域36の全体が均一に光る。
【００２９】
セード15の内側領域から前面部33の複数の高透過率部38に入射した光は拡散されることなく透過する。そのため、セード15を見た際に、セード15の均一に光る光拡散領域36に複数の高透過率部38を通過した光による複数の輝きが点在し、星空のように複数のきらめき光として見え、さらに、セード15を見る位置が変化することで、複数のきらめき光がきらめいて見える演出効果を得ることができる。このきらめき感は、発光素子27からの光が高透過率部38を通じて出射される方向からセード15を見たときに得られやすい。
【００３０】
セード15の内側領域から側面部34の透明領域37に入射した光は、透明領域37を透過して光学部材40の入射部43に入射し、プリズム面45aで屈曲されて前部44や背部46へ向けて出射する。前部44へ向かった光は前部44のプリズム面45b，45cで屈曲されて前面側に出射する。背部46へ向かった光の一部は背部46で反射して前部44へ向かい、他の一部は背部46に入射してプリズム面47で屈曲して側面側に出射する。これにより、光学部材40の前部44や背部46には複数のプリズム面45a，45b，45c，47で屈曲された複数の発光素子27の発光部が映し出され、この光学部材40の前部44や背部46のプリズム面45a，45b，45c，47がセード15の光拡散領域36よりも高い高度で輝いて見える演出効果を得ることができる。
【００３１】
このように構成された照明装置10では、セード15の光拡散領域36の一部に透明領域37を設けて、この透明領域37に光学部材40を対向させるため、複数の発光素子27の発光部が光学部材40に映り込み、光学部材40に輝き感のある演出効果を得ることができ、商品性を向上できる。
【００３２】
また、光学部材40は、セード15の側面に形成されている透明領域37を透過した光を光学部材40の側面側に透過させるとともに光学部材40の前面側に出射させるため、セード15をどの方向から見ても光学部材40に輝き感が得られる。
【００３３】
しかも、セード15の前面部33では、複数の高透過率部38によって複数のきらめき光が見えるため、光学部材40の輝き感との相乗効果によって演出効果をより高めることができる。
【００３４】
なお、セード15の全周に透明領域37を形成するとともに光学部材40を配置し、セード15の全周に輝き感が得られるようにしてもよい。
【００３５】
また、セード15の透明領域37に対応してカラーフィルタを配置し、輝き感に色彩を付加するようにしてもよい。なお、カラーフィルターでなくともセード15に印刷などしても同等の効果が得られる。
【００３６】
次に、図４および図５に、第２の実施形態を示す。なお、第１の実施形態と同じ符号を用い、同じ構成および作用効果についてはその説明を省略する。
【００３７】
セード15および光学部材40以外の器具本体13や発光モジュールなどの構成は、第１の実施形態と同様である。
【００３８】
セード15の側面部34は、円筒状に形成され、上部側から下部側にかけて側方へ突出するように（径が大きくなるように）傾斜されている。この側面部34の全周全域に窓部34bおよび透明領域37が形成されている。
【００３９】
光学部材40は、側面部34の全周全域の透明領域37に対向するように環状に形成された光学部品50を備えている。この光学部品50は、透明な樹脂材料によって形成されており、上部がセード15の背面部35に例えば接着剤や他の取付手段によって取り付けられ、下部側がセード15の側面部34との間に間隙をあけて対向するように配置されている。セード15の側面部34に対向する光学部品50の面に複数のプリズムを有するプリズム面51が形成され、光学部品50の先端で下方に対向する前面に複数のプリズムを有するプリズム面52が形成されている。
【００４０】
そして、セード15の内側領域から側面部34の透明領域37に入射した光は、透明領域37を透過してプリズム面51で屈曲されて光学部材（光学部品50）40に入射し、光学部材40の前面や外側面から出射する。光学部材40の前面からはプリズム面52で屈曲されて出射し、光学部材40の外側面からはプリズム面52で屈曲された光が出射する。これにより、光学部材40の前面には複数のプリズム面51，52で屈曲された複数の発光素子27の発光部が映し出され、光学部材40の外側面にはプリズム面51で屈曲された複数の発光素子27の発光部が映し出され、この光学部材40の前面や外側面がセード15の光拡散領域36よりも高い高度で輝いて見える演出効果を得ることができる。
【００４１】
さらに、光学部材40は、セード15から離反しているため、光学部材40の内側のプリズム面51も視認することができ、その光学部材40の内側のプリズム面51も輝いて見える。
【００４２】
次に、図６および図７に、第３の実施形態を示す。なお、前記実施形態と同じ符号を用い、同じ構成および作用効果についてはその説明を省略する。
【００４３】
セード15および光学部材40以外の器具本体13や発光モジュールなどの構成は、第１の実施形態と同様である。なお、図６には保護カバー29を図示していないが、保護カバー29は用いられる。
【００４４】
セード15の側面部34は、前面から見て多角形であって例えば８角形であり、高さ方向の中間部が上下部よりも外側方に突出する断面略くの字形に形成されている。この８角形の側面部34の１つおき辺に対応して窓部34bおよび透明領域37が形成されている。
【００４５】
光学部材40は、側面部34の透明領域37に対向する光学部品55、および透明領域37と光学部品55との間に介在されるプリズムシート56を備えている。光学部品55は、透明な樹脂材料によって側面部34の形状に対応する断面略くの字形に形成されており、上部および下部がセード15の背面部35および側面部34に例えば接着剤や他の取付手段によって取り付けられている。プリズムシート56は、光透過性を有するとともに表裏面に小さい複数のプリズムが形成されており、透明領域37を覆っている。
【００４６】
そして、セード15の内側領域から側面部34の透明領域37に入射した光は、透明領域37を透過してプリズムシート56で屈曲されて光学部材（光学部品55）40に入射し、光学部材40の外側面から出射する。これにより、光学部材40の外側面にはプリズムシート56で屈曲された複数の発光素子27の発光部が映し出され、この光学部材40の外側面がセード15の光拡散領域36よりも高い高度で輝いて見える演出効果を得ることができる。
【００４７】
なお、セード15の全周に透明領域37を形成するとともに光学部材40を配置し、セード15の全周に輝き感が得られるようにしてもよい。
【００４８】
次に、図８および図９に、第４の実施形態を示す。なお、前記実施形態と同じ符号を用い、同じ構成および作用効果についてはその説明を省略する。
【００４９】
セード15および光学部材40以外の器具本体13や発光モジュールなどの構成は、第１の実施形態と同様である。
【００５０】
セード15の側面部34は、円筒状に形成され、上部側から下部側にかけて側方へ突出するように（径が大きくなるように）傾斜されている。この側面部34の全周全域に窓部34bおよび透明領域37が形成されている。
【００５１】
側面部34の内側面には、側面部34の全周全域の透明領域37を覆ってプリズムシート59が取り付けられている。プリズムシート59は、光透過性を有するとともに表裏面に小さい複数のプリズムが形成されている。
【００５２】
光学部材40は、側面部34の全周全域の透明領域37に対向するように環状に形成された光学部品60を備えている。この光学部品60は、透明な樹脂材料によって形成されており、上部がセード15の背面部35に例えば接着剤や他の取付手段によって取り付けられ、下部側がセード15の側面部34との間に間隙をあけて側方へ突出するように配置されている。光学部品60の内面は、光透過性と光反射性（鏡面）を有するハーフミラー面に形成されている。
【００５３】
そして、セード15の内側領域から側面部34へ向かった光は、プリズムシート59で屈曲されて透明領域37を透過し、光学部材（光学部品60）40に入射する。光学部材40に入射した一部の光は光学部材40の内面で前方（下方）へ向けて反射され、他の一部の光は光学部材40を透過して光学部材40の外側面から側方へ出射する。これにより、光学部材40の内面にはプリズムシート59で屈曲された複数の発光素子27の発光部が映し出され、光学部材40の外側面にもプリズムシート59で屈曲された複数の発光素子27の発光部が映し出され、この光学部材40の前面や外側面がセード15の光拡散領域36よりも高い高度で輝いて見える演出効果を得ることができる。
【００５４】
さらに、光学部材40がセード15の側面部34から離反しているため、照明装置10の下方からはセード15の側面部34も視認可能であり、そのセード15の側面部34もプリズムシート59で屈曲された複数の発光素子27の発光部が映し出されていて輝いて見える。
【００５５】
以上の各実施形態のように、照明装置10では、セード15の光拡散領域36の一部に透明領域37を設けて、この透明領域37に光学部材40を対向させるため、複数の発光素子27の発光部が光学部材40に映り込み、光学部材40に輝き感のある演出効果を得ることができ、商品性を向上できる。
【００５６】
なお、セード15の透明領域37は、側面部34に設ける場合に限らず、前面部33に設けてよい。この場合にも、透明領域37に対向してセード15の前面部33に光学部材40を配置すればよい。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
10    照明装置
13    器具本体
15    セード
27    発光素子
36    光拡散領域
37    透明領域
38    高透過率部
40    光学部材
【図１】
2015018774.tif 000003
【図２】
2015018774.tif 000004
【図３】
2015018774.tif 000005
【図４】
2015018774.tif 000006
【図５】
2015018774.tif 000007
【図６】
2015018774.tif 000008
【図７】
2015018774.tif 000009
【図８】
2015018774.tif 000010
【図９】
2015018774.tif 000011